【手続補正書】
【提出日】令和3年5月13日(2021.5.13)
【手続補正１】
【補正対象書類名】特許請求の範囲
【補正対象項目名】全文
【補正方法】変更
【補正の内容】
【特許請求の範囲】
【請求項１】
血圧の測定によって得られる測定値を取得する取得部と、
血圧の変動特性に基づいて、複数の機会を含む単位測定期間を設定する設定部と、
前記測定値に基づいて、前記単位測定期間についての前記血圧の代表値を算出する算出部であって、
前記単位測定期間内において、２回目の測定が１回目の測定とは異なる機会に行われた場合に、前記１回目の測定により得られた第１測定値と前記２回目の測定により得られた第２測定値の両方を用いて、前記単位測定期間についての前記代表値を算出する、算出部と、
を備え、
前記算出部は、前記単位測定期間内において前記２回目の測定が前記１回目の測定とは異なる機会に行われ、かつ、前記単位測定期間内において３回目の測定が前記２回目の測定と異なる機会に行われた場合に、前記第１測定値と前記第２測定値のみを用いて、前記代表値を算出する、
血圧管理装置。
【請求項２】
前記算出部は、１機会の測定行動に要する代表的な時間に基づいて、前記１回目の測定と前記２回目の測定が同一の機会に行われたか否かを判断する、請求項１に記載の血圧管理装置。
【請求項３】
前記算出部は、前記単位測定期間内において前記１回目の測定と前記２回目の測定が１０分以内に行われた場合に、前記１回目の測定と前記２回目の測定が同一の機会に行われたと判断する、請求項２に記載の血圧管理装置。
【請求項４】
前記算出部は、前記単位測定期間内において前記２回目の測定が前記１回目の測定と同一の機会に行われ、かつ、前記単位測定期間内において３回目の測定が前記１回目の測定とは異なる機会に行われた場合に、前記第１測定値と、前記第２測定値のみを用いて、前記単位測定期間についての前記代表値を算出する、請求項１に記載の血圧管理装置。
【請求項５】
前記算出部は、前記単位測定期間内において前記２回目の測定が前記１回目の測定とは異なる機会に行われ、かつ、前記単位測定期間内において３回目の測定が前記２回目の測定と異なる機会に行われた場合に、前記第１測定値と前記第２測定値のみを用いて、前記代表値を算出する、請求項１に記載の血圧管理装置。
【請求項６】
前記算出部は、前記単位測定期間内において前記２回目の測定が前記１回目の測定とは異なる機会に行われ、かつ、前記単位測定期間内において３回目の測定が前記２回目の測定と同一の機会に行われた場合に、前記第１測定値、前記第２測定値、及び、前記３回目の測定により得られた第３測定値を用いて、前記代表値を算出する、請求項１に記載の血圧管理装置。
【請求項７】
前記算出部は、前記単位測定期間内における４回目以降の測定によって得られた測定値を、前記代表値の算出に用いない、請求項１に記載の血圧管理装置。
【請求項８】
前記設定部は、前記単位測定期間を複数設定することにより、１日を複数の前記単位測定期間に分割する、請求項１に記載の血圧管理装置。
【請求項９】
前記設定部は、前記１回目の測定の測定時刻に基づいて、前記単位測定期間の終了時刻を設定する、請求項１に記載の血圧管理装置。
【請求項１０】
前記設定部は、前記単位測定期間として１５時間以下の期間を設定する、請求項１に記載の血圧管理装置。
【請求項１１】
前記取得部は、起床時刻をさらに取得し、
前記設定部は、前記起床時刻を単位測定期間の開始時刻として設定し、前記起床時刻に基づいて、前記単位測定期間の終了時刻を設定する、請求項１に記載の血圧管理装置。
【請求項１２】
前記算出部による前記代表値の前記算出では、前記第１測定値の取得時から前記第２測定値の取得を待機する状態を終了するまでの最大の時間は、前記第２測定値の取得時から前記単位測定期間内において３回目の測定により得られた第３測定値の取得を待機する状態を終了するまでの最大の時間よりも長い、請求項１に記載の血圧管理装置。
【請求項１３】
血圧センサと、表示部と、をさらに備える、請求項１に記載の血圧管理装置。
【請求項１４】
請求項１乃至請求項１３のいずれか１項に記載の血圧管理装置が備える各部の機能をプロセッサに実行させる、血圧管理プログラム。
【請求項１５】
血圧の測定によって得られる測定値を取得することと、
血圧の変動特性に基づいて、複数の機会を含む単位測定期間を設定することと、
前記測定値に基づいて、前記単位測定期間についての前記血圧の代表値を算出することであって、
前記単位測定期間内において、２回目の測定が１回目の測定とは異なる機会に行われた場合に、前記１回目の測定により得られた第１測定値と前記２回目の測定により得られた第２測定値の両方を用いて、前記単位測定期間についての前記代表値を算出することと、
前記単位測定期間内において前記２回目の測定が前記１回目の測定とは異なる機会に行われ、かつ、前記単位測定期間内において３回目の測定が前記２回目の測定と異なる機会に行われた場合に、前記第１測定値と前記第２測定値のみを用いて、前記代表値を算出することと、
を備える、血圧管理方法。
【請求項１６】
血圧の測定によって得られる測定値を取得する取得部と、
血圧の変動特性に基づいて、複数の機会を含む単位測定期間を設定する設定部と、
前記測定値に基づいて、前記単位測定期間についての前記血圧の代表値を算出する算出部であって、
前記単位測定期間内において、２回目の測定が１回目の測定とは異なる機会に行われた場合に、前記１回目の測定により得られた第１測定値と前記２回目の測定により得られた第２測定値の両方を用いて、前記単位測定期間についての前記代表値を算出する、算出部と、
を備え、
前記算出部による前記代表値の前記算出では、前記第１測定値の取得時から前記第２測定値の取得を待機する状態を終了するまでの最大の時間は、前記第２測定値の取得時から前記単位測定期間内において３回目の測定により得られた第３測定値の取得を待機する状態を終了するまでの最大の時間よりも長い、
血圧管理装置。
【請求項１７】
前記算出部は、１機会の測定行動に要する代表的な時間に基づいて、前記１回目の測定と前記２回目の測定が同一の機会に行われたか否かを判断する、請求項１６に記載の血圧管理装置。
【請求項１８】
前記算出部は、前記単位測定期間内において前記１回目の測定と前記２回目の測定が１０分以内に行われた場合に、前記１回目の測定と前記２回目の測定が同一の機会に行われたと判断する、請求項１７に記載の血圧管理装置。
【請求項１９】
前記算出部は、前記単位測定期間内において前記２回目の測定が前記１回目の測定と同一の機会に行われ、かつ、前記単位測定期間内において３回目の測定が前記１回目の測定とは異なる機会に行われた場合に、前記第１測定値と、前記第２測定値のみを用いて、前記単位測定期間についての前記代表値を算出する、請求項１６に記載の血圧管理装置。
【請求項２０】
前記算出部は、前記単位測定期間内において前記２回目の測定が前記１回目の測定とは異なる機会に行われ、かつ、前記単位測定期間内において３回目の測定が前記２回目の測定と異なる機会に行われた場合に、前記第１測定値と前記第２測定値のみを用いて、前記代表値を算出する、請求項１６に記載の血圧管理装置。
【請求項２１】
前記算出部は、前記単位測定期間内において前記２回目の測定が前記１回目の測定とは異なる機会に行われ、かつ、前記単位測定期間内において３回目の測定が前記２回目の測定と同一の機会に行われた場合に、前記第１測定値、前記第２測定値、及び、前記３回目の測定により得られた第３測定値を用いて、前記代表値を算出する、請求項１６に記載の血圧管理装置。
【請求項２２】
前記算出部は、前記単位測定期間内における４回目以降の測定によって得られた測定値を、前記代表値の算出に用いない、請求項１６に記載の血圧管理装置。
【請求項２３】
前記設定部は、前記単位測定期間を複数設定することにより、１日を複数の前記単位測定期間に分割する、請求項１６に記載の血圧管理装置。
【請求項２４】
前記設定部は、前記１回目の測定の測定時刻に基づいて、前記単位測定期間の終了時刻を設定する、請求項１６に記載の血圧管理装置。
【請求項２５】
前記設定部は、前記単位測定期間として１５時間以下の期間を設定する、請求項１６に記載の血圧管理装置。
【請求項２６】
前記取得部は、起床時刻をさらに取得し、
前記設定部は、前記起床時刻を単位測定期間の開始時刻として設定し、前記起床時刻に基づいて、前記単位測定期間の終了時刻を設定する、請求項１６に記載の血圧管理装置。
【請求項２７】
請求項１６の血圧管理装置と、血圧センサと、表示部と、をさらに備える、血圧管理装置。
【請求項２８】
請求項１６乃至請求項２７のいずれか１項に記載の血圧管理装置が備える各部の機能をプロセッサに実行させる、血圧管理プログラム。
【請求項２９】
血圧の測定によって得られる測定値を取得することと、
血圧の変動特性に基づいて、複数の機会を含む単位測定期間を設定することと、
前記測定値に基づいて、前記単位測定期間についての前記血圧の代表値を算出することであって、
前記単位測定期間内において、２回目の測定が１回目の測定とは異なる機会に行われた場合に、前記１回目の測定により得られた第１測定値と前記２回目の測定により得られた第２測定値の両方を用いて、前記単位測定期間についての前記代表値を算出することと、
前記第１測定値の取得時から前記第２測定値の取得を待機する状態を終了するまでの最大の時間は、前記第２測定値の取得時から前記単位測定期間内において３回目の測定により得られた第３測定値の取得を待機する状態を終了するまでの最大の時間よりも長いことと、
を備える、血圧管理方法。
【手続補正２】
【補正対象書類名】明細書
【補正対象項目名】００３３
【補正方法】変更
【補正の内容】
【００３３】
算出部４は、取得部２から血圧の測定情報を取得し、設定部３から単位測定期間を取得する。算出部４は、血圧の測定値と、単位測定期間に基づいて、血圧の代表値を単位測定期間ごとに算出する。特定の単位測定期間における血圧の代表値は、例えば、特定の単位測定期間における２つ以上の測定値を用いて算出される。単位測定期間における血圧の代表値は、例えば、特定の単位測定期間内に測定された２つ以上の測定値の平均値、中央値等である。出力部５は、算出された代表値を外部へ出力する。
【手続補正３】
【補正対象書類名】明細書
【補正対象項目名】００７９
【補正方法】変更
【補正の内容】
【００７９】
２．２．４  サーバのハードウェア構成例
次に、サーバ７０のハードウェア構成例について説明する。図６は、本実施形態に係るサーバ７０のハードウェア構成の一例を示すブロック図である。図６に示すように、本実施形態に係るサーバ７０は、制御部７１、記憶部７２、及び、通信部７３を備える。